【事件の表示】
　上記当事者間の登録第３３６９４７１号商標の商標登録無効審判事件について、次のとおり審決する。
【結　論】
　登録第３３６９４７１号の登録を無効とする。
　審判費用は被請求人の負担とする。
【理　由】
第１　本件商標 
　本件登録第３３６９４７１号商標（以下「本件商標」という。）は、平成５年６月１６日に登録出願され、「ＢＵＬＧＡＲＩ」の欧文字と「ブルガリー」の片仮名文字とを二段に書してなり、第２８類「運動用具，スキーワックス」を指定商品として、同１０年４月１７日に設定登録され、現に有効に存続しているものである。 
　 
第２　請求人の主張 
　請求人は、結論同旨の審決を求め、請求の理由、答弁に対する弁駁及び審尋に対する回答を要旨次のように述べ、証拠方法として、甲第１号証ないし甲第４０９号証（枝番含む）を提出した。 
１　請求の理由 
（１）商標法第４条第１項第８号及び同第１５号について 
（ア）請求人は、甲第１３号証ないし甲第２７号証に示す自己の使用に係る、ローマ字「ＢＵＬＧＡＲＩ」、片仮名文字「ブルガリ」若しくはローマ字「ＢＶＬＧＡＲＩ」を左横書きしてなる登録第１５９８０２９号、同第１６０１８０４号、同第１７８９７１７号、同第１７８９７１８号、同第１８４９６６８号、同第１８４９６６９号、同第１８８７２８５号、同第１８９８３８６号、同第１９８９６２２号、同第１９９３８２６号、同第２３４９７０６号、同第２４５５１５４号、同第２４７９９９８号、同第２５２２７６３号及び同第２５３８２６９号の各商標を引用する。 
（イ）請求人は、ローマでの銀細工の創業が１８８４年であって、その絶えざる技術の向上及び研鑚に努力した結果、世界における三大宝飾品メーカーとしての名声を獲得するまでに至り、その後、甲第３号証、甲第５号証ないし甲第９号証（平成５年５月２０日発行）に記載されているように、その業務活動を本来の「宝飾品」だけでなく、「腕時計、置時計、メンズアクセサリー、キーホルダー、ライター並びに文房具」の分野にまで拡充すると共に、日本における営業活動の拠点として、東京都千代田区紀尾井町４−１にブルガリ・ジャパン株式会社を設立し、同時に、大阪の商品販売拠点として大阪ヒルトンホテル内にブルガリ・ヒルトンプラザ店を開設、莫大な費用を投じ各種のメディアを通じて広告・宣伝活動を行ってきたところである。 
（ウ）請求人は、商願平０６−７０３５６号の出願に対して異議申立をしたところ、甲第４号証に示すとおり「『ＢＵＬＧＡＲＩ』商標が取引者・需要者間に広く知られていたものと認め得る」との判断がなされ、当該商標は商標法第４条第１項第１５号に該当するとして拒絶査定がなされたところである。 
（エ）「ＢＵＬＧＡＲＩ」は、請求人の名称の著名な略称であるばかりでなく、「ＢＵＬＧＡＲＩ」及び「ブルガリ」の商標は、本件商標の出願日である１９９３年６月１６日までには取引者・需要者に広く知られていたものである。 
　してみれば、本件商標は、請求人の名称で著名な略称を含む商標であって請求人の承諾を得ていないばかりでなく、本件商標がその指定商品に使用された場合は、取引者・需要者をして請求人の業務にかかる商品又は請求人と関係を有する者の業務に係る商品の如く、その出所ついて混同を生じさせるおそれのある商標であること明らかである。 
　したがって、本件商標は、商標法第４条第１項第８号及び同第１５号の規定に違反して登録を受けたものであるから、同法第４６条第１項の規定に基づき無効とされるべきである。 
（２）商標法第４条第１項第７号について 
　本件商標は、請求人の商号の略称に同一と言えるほど類似しているものであるから、被請求人が本件商標をその指定商品に使用することは、商標を使用する者の業務上の信用の維持を図り、あわせて需要者の利益を保護することを目的としている商標法の精神に悖るものと言わねばならない。 
　したがって、本件商標は、商標法第４条第１項第７号の規定に違反して登録されたものであるから、同法第４６条第１項の規定に基づき無効とされるべきである。 
（３）結語 
　したがって、本件商標は、商標法第４条第１項第７号、同第８号及び同第１５号の規定に違反して登録されたものであるから、同法第４６条第１項の規定に基づいて、その登録は無効とされるべきものである。 
２　答弁に対する弁駁 
（１）本件商標は、その構成がローマ字「ＢＵＬＧＡＲＩ」を上段にその下に片仮名「ブルガリー」と二段に表示したものであり、商標法第４条第１項第８号に違反して商標登録されたものである。 
（２）被請求人は、本件商標の指定商品が「運動用具，スキーワックス」であり、該商品は一般の消費者が対象であるのに対して、請求人の取り扱う商品である「宝飾品，腕時計，置時計，メンズアクセサリー，キーホルダー，ライター，文房具」が極めて高価であるためこれら購入者は限られた層であると共に、取引系統等が全く異なる旨の主張をしている。 
　しかしながら、本件商標が付された本件商標の指定商品の購入者がスポーツに関係を有し、それらの人々は外国選手名並びに外国製の製品等にしばしば接する機会があることを考慮すると、たとえ本件商標の指定商品と請求人の商品の取引系統等が異なるとしても、その構成が上述したとおり請求人の著名な略称を含む商標であるから、本件商標をその指定商品に使用する場合は、それらに接する需要者をして請求人又は請求人と関係を有する者の取り扱う商品のごとくその出所について混同を生じさせるおそれがある。 
　したがって、本件商標は、商標法第４条第１項第１５号の規定に違反して商標登録を受けたものである。 
（３）さらに、本件商標は、商標登録を受けるまでの経緯からすると他人の著名な標章を自己の営業に利する目的で商標登録を受けたものと言えるものであり、商取引の信頼関係において公序、良俗に反するものと言わざるを得ない。 
　したがって、本件商標は、商標法第４条第１項第７号の規定に違反して商標登録を受けたものである。 
３　審尋に対する回答 
　請求人は、本件商標の出願日前までに日本国内において発行された定期刊行物に掲載された請求人の名称の略称である「ＢＵＬＧＡＲＩ」「ＢＶＬＧＡＲＩ」「ブルガリ」の各商標を請求人の業務に係る商品に表示し使用していた事実から、上記の各略称が請求人の著名な略称となって広く需要者間に知られていたことを立証する追加の資料を提出する。 
　 
第３　被請求人の答弁
１　第１答弁書 
　被請求人は、「本審判請求は成り立たない。審判請求の費用は請求人の負担とする。」との審決を求めると答弁し、その理由を要旨次のように述べ、証拠方法として乙第１号証及び乙第２号証を提出した。 
（１）乙第１号証の登録異議（商願平０５−５９７７３号）の決定によれば、「申立人が引用商標を使用する『時計、宝石、身飾品』と補正後の本件商標の指定商品である『運動用具，スキーワックス』とは、商品の品質、用途はもとより生産部門、取引系統等を全く異にする異質の商品と認められ、その関連性は極めて希薄というべきものであるから、たとえ近時産業界における多角経営化を考慮しても、本願商標をその指定商品に使用した場合、取引者、需要者をして申立人の業務に係る商品であるかの如く、商品の出所について混同を生じさせるおそれはないものと判断するのが相当である。したがって、本願商標が商標法第４条第１項第８号及び同第１５号に該当するとする本件登録異議の申し立ては理由がないものとすべきである。」とされている。 
（２）請求人は請求書において、「その業務活動を本来の宝飾品だけではなく，腕時計，置時計，メンズアクセサリー，キーホルダー，ライター並びに文房具の分野にも拡充すると共に」とあるが、これらすべての商品は請求人の証拠資料が示す通り、極めて高価のものであり、宝飾品に近いものである。つまり、これらの購入者は限られた層であるのに対して、本件商標の指定商品「運動用具，スキーワックス」は一般の消費者が対象であるので、取引系統等が全く異なる。 
　同じく、請求書において、「その業務活動を本来の宝飾品だけではなく，腕時計，置時計，メンズアクセサリー，キーホルダー，ライター並びに文房具の分野にも拡充すると共に」とされているが、本件商標の出願時には、乙第２号証に示すとおり、少なくとも腕時計については取引者、需要者に広く知られていたものではない。 
（３）請求人の商品は請求人の証拠資料が示すとおり、その商品は極めて高価であり、限られた層にのみ知られているとしかいえず、著名性を主張することはできない。また、被請求人が本件商標をその指定商品「運動用具、スキーワックス」に使用するときに、取引者、需要者がその出所について、極めて高価な宝飾品を扱う請求人と何らかの関係があるという誤認混同を生じることはない。 
　したがって、本件商標は、商標法第４条第１項第７号、同第８号及び同第１５号の規定に違反して登録されたものではない。
２　第２答弁書
（１）本件商標は請求人により異議申立がされたものであり、同一請求人が同一内容で同一商標に対して、異議申立の維持の決定後、５年も徒過した後、無効審判を提起することは商標の安定した登録を妨げるものといわざるを得ない。
（２）現代の日本において、外国人並びに外国製の製品に接しない最終消費者はほとんどいないのであるから、本件商標の指定商品と請求人の略称等とを混同する事由とはなり得ない。
（３）請求人は多くの資料を提出しているが、その全てがきわめて高価な宝飾品及び宝飾された時計等であり、その店舗も都会の一等地のビルや超高級ホテルで請求人の商品にふさわしい立地である。それに対して本件商標の指定商品は運動用具、スキーワックスであり、販売する店舗も、地価のそれほど高くない商業地域や郊外がほとんどである。
（４）近年の企業の多角化を考えても、一般人の常識を持ってすれば、超高級ホテルで売られている世界三大宝飾品メーカーの高級宝飾品と、激しい動きにも耐えられるように作られた運動用具や、ロウを数センチ角に固めた１０００円程度のスキーワックスとを関係のある会社が製造しているとは考えつかないとするのが相当である。
　 
第４　当審の判断  
１　「ＢＵＬＧＡＲＩ」商標等の周知性  
　請求人の主張及び甲第３号証ないし甲第４０９号証（枝番を含む）によれば、次の事実が認められる。 
（１）請求人は、１８８４年にローマで銀細工の店として創業され、その後、カルティエ、ティファニーと並ぶ世界の三大宝飾メーカーとして知られるに至り、１９９１年２月に日本における営業活動の拠点として東京都千代田区にブルガリジャパン株式会社を設立し、販売場所を東京と大阪とし、その後、１９９２年に福岡店を開設したこと（甲第３号証、同第２８号証及び同第３０号証（枝番を含む））。 
（２）請求人は、取扱商品を「宝飾品、時計，カフス，キーホルダー，ライター，ボールペン」等とし「ＢＵＬＧＡＲＩ」「ＢＶＬＧＡＲＩ」「ブルガリ」の表示を使用して営業活動をおこなっていること（甲第５号証ないし甲第１２号証、甲第２８号証、甲第３１号証ないし甲第４０９号証（枝番を含む））。
　そして、「ＢＵＬＧＡＲＩ」「ＢＶＬＧＡＲＩ」「ブルガリ」の表示は、例えば、甲第５号証（「世界の一流品大図鑑」１９８７年版）、甲第６号証（「世界の一流品大図鑑」１９８８年版）、甲第７号証（「世界の一流品大図鑑」１９８９年版）、甲第８号証（「世界の一流品大図鑑」１９９１年版）、甲第９号証（「世界の一流品大図鑑」１９９３年版）、甲第１０号証（「世界の一流品大図鑑」１９９４年版）、甲第１１号証（「世界の一流品大図鑑」１９９５年版）、甲第１２号証（「世界の一流品大図鑑」１９９６年版）、甲第３１号証及び甲第３２号証（「２５ＡＮＳ」１９８６年２・５月号）、甲第３３号証（「ＪＪ」１９８６年１０月号）、甲第３４号証（「ＣＬＡＳＳＹ」１９８６年１０月号）、甲第３５号証（「ＷＩＮＤＳ」１９８６年４月号）、甲第３６号証（「家庭画報」１９８７年１月号）、甲第３７号証（「ＳＯＰＨＩＡ」１９８７年２月号）、甲第３８号証（「ミセス」１９８７年３月号）、甲第３９号証（「ＬＡ　ＳＥＩＮＥ」１９８７年４月号）、甲第４０号証（「ＣＬＡＳＳＹ」１９８７年４月号）、甲第４１号証（「ＬＡ　ＳＥＩＮＥ」１９８７年５月号）、甲第４２号証（「ミセス」１９８７年５月号）、甲第４３号証（「家庭画報」１９８７年５月号）、甲第４４号証（「婦人画報」１９８７年５月号）、甲第４５号証（「マリクレール」１９８７年５月号）、甲第４６号証（「ＳＯＰＨＩＡ」１９８７年６月号）、甲第４７号証（２５ＡＮＳ」１９８７年６月号）、甲第４８号証（「ＪＪ」１９８７年６月号）、甲第４９号証（「ミセス」１９８７年６月号）、甲第５０号証（「ハイファッション」１９８７年６月号）等各種雑誌等において繰り返し掲載されていること。 
（３）上記（２）における各種雑誌等における「ＢＵＬＧＡＲＩ」「ＢＶＬＧＡＲＩ」「ブルガリ」の表示は、「宝飾品，時計」等の商品と係わり掲載されていること。 
（４）以上の事実よりすると、「ＢＵＬＧＡＲＩ」「ＢＶＬＧＡＲＩ」「ブルガリ」の表示（以下「『ＢＵＬＧＡＲＩ』商標等」という。）は、宝飾品、時計等の商品におけるブランドとして、少なくとも本件商標の登録出願時である平成５年６月１６日前においてすでに我が国の取引者、需要者間に広く認識されていたものであり、また、その状況は本件商標の登録査定時である同１０年１月１４日を含む現在に至るまでも継続していたものである。
２　本件商標と請求人商品に使用される「ＢＵＬＧＡＲＩ」商標等との類似性について 
　本件商標は、「ＢＵＬＧＡＲＩ」の欧文字と「ブルガリー」の片仮名文字とを二段に横書きしてなるところ、その構成文字に相応して「ブルガリ」又は「ブルガリー」の称呼を生ずるものである。 
　他方、請求人商品に使用されている「ＢＵＬＧＡＲＩ」商標等は、「ＢＵＬＧＡＲＩ」「ＢＶＬＧＡＲＩ」「ブルガリ」の各文字よりなるものであるから、その構成文字に相応して、「ブルガリ」の称呼が生ずるものである。　そこで、本件商標より生ずる「ブルガリ」の称呼と「ＢＵＬＧＡＲＩ」商標等より生ずる「ブルガリ」の称呼を比較すると、両称呼は、「ブルガリ」の称呼を同一にするものである。また、本件商標より生ずる「ブルガリー」の称呼と「ＢＵＬＧＡＲＩ」商標等より生ずる「ブルガリ」の称呼を比較すると称呼において印象に強く残る語頭部分において「ブルガリ」の４音を共通にし、本件商標における末尾の長音において差異を有するものである。そして、該差異音は、前音の「リ」に吸収されて明瞭に聴取されにくい弱音であるうえに、語尾に位置するものであることから、一層、不明瞭なものとなる。 
　してみると、両称呼をそれぞれ全体として称呼するときは、互いに聞き誤られるおそれがあるというのが相当である。 
　また、本件商標及び「ＢＵＬＧＡＲＩ」商標等は、「ＢＵＬＧＡＲＩ」の欧文字と「ブルガリ」の片仮名文字を共通にする構成よりなるものであるから、それぞれの構成文字綴りの大部分を共通にする点で、外観上近似した印象、連想等を生じさせるおそれがあることも否定できない。
　してみれば、本件商標と「ＢＵＬＧＡＲＩ」商標等とは称呼において相紛らわしいく、外観においてもその近似性を否定できないものであるから、互いに類似する商標というべきである。
３　商品の関連性及び需要者  
　本件商標の指定商品「運動用具，スキーワックス」と「ＢＵＬＧＡＲＩ」商標等が使用されている「宝飾品，時計」等の商品との関連性及び需要者を検討するに、本件商標の指定商品の需要者は、その商品の性質上年齢、性別、職種等を問わず、あらゆる分野の広範な一般需要者であり、その中には「ＢＵＬＧＡＲＩ」商標等が使用されている「宝飾品，時計」等の商品の需要者も当然含まれる。
　また、例えば、本件商標の指定商品中「運動用具」に含まれる「ゴルフ用具，テニス用具，スキー用具」と「宝飾品，時計」等の商品とは、高級感や美感性を重視する点においてその特徴を共通にする場合のある関連する商品と言える。そして、上記の商品の関連性より、「ＢＵＬＧＡＲＩ」商標等が使用されている「宝飾品，時計」等の商品の需要者は、本件商標の指定商品に接する機会のあることは、決して稀なこととはいえないものである。 
　そうとすれば、本件商標の指定商品の需要者と「ＢＵＬＧＡＲＩ」商標等が使用されている「宝飾品，時計」等の商品の需要者は、相当程度共通する。
４　出所混同のおそれ  
　以上により、本件商標と「ＢＵＬＧＡＲＩ」商標等の類似性の程度、「ＢＵＬＧＡＲＩ」商標等の周知著名性の程度、両商品間の関連性の程度、需要者の共通性等を総合勘案（最高裁平成１２年７月１１日第三小法廷判決　平成１０年（行ヒ）第８５号）すると、本件商標の登録時はもとよりその出願時において、本件商標をその指定商品に使用したときには、これに接する需要者が、「ＢＵＬＧＡＲＩ」商標等を想起し、これより連想して、当該商品が請求人又は同人と経済的、組織的に関係を有する事業者の業務に係る商品であると誤信し、その商品の出所について混同するおそれがあったというべきである。  
５　まとめ  
　したがって、本件商標は、商標法第４条第１項第１５号の規定に違反して登録されたものであるから、同法第４６条第１項に基づき、その登録を無効とすべきものである。 
　よって、結論のとおり審決する。